(57)【要約】【課題】高さ等のサイズを統一して書類やファイリング用具を配列する際の美観を向上させると共に、収納空間を高密度に使用して空間を有効利用することのできる収納物品群を提供する。【解決手段】書類等の綴込み用ファイルとバインダーと書類ケースのファイリング用具のいずれか又はその組合せを複数収納できる箱型ファイルの高さは、複数の物品収納箱を重ねた高さと同じ高さに設定される。【選択図】        図１
2004237581.tif 000002
【特許請求の範囲】
【請求項１】
書類等の綴込み用ファイルとバインダーと書類ケースのファイリング用具のいずれか又はその組合せを複数収納できる箱型ファイルの高さは、複数の物品収納箱を重ねた高さと同じ高さに設定される収納物品群。
【請求項２】
複数の物品収納箱を重ねた高さと、書類等の綴込み用ファイルとバインダーと書類ケースのファイリング用具の高さと、ファイリング用具を複数収納できる箱型ファイルの高さと、をそれぞれ同じ高さに設定される収納物品群。
【請求項３】
ファイリング用具を複数収納できる箱型ファイルの高さは、物品収納箱および書類等の綴込み用ファイルとバインダーと書類ケースのファイリング用具の高さの公倍数であることを特徴とする請求項１または２に記載の収納物品群。
【発明の詳細な説明】
【０００１】
【産業上の利用分野】
この発明は、収納物品群に係り、特に高さが一定のものに関する。
【０００２】
【従来の技術】
通常、書類やファイルのサイズは国際標準規格で定められたＡ判と、日本工業規格で定められたＢ判を基にしたサイズが一般的に利用されている。コピー用紙等のサイズは、これらの規格で定められたサイズであり、それらを綴じるファイルにあっては、それらの用紙より大き目のサイズで作成される。このため、それらのサイズは、Ａ判を基準にしたサイズと、Ｂ判を基準にしたサイズが存在し、かつそれぞれのサイズはその大きさが１０段階に分けられている。
【０００３】
また、これらのサイズは、あくまでも標準規格に準じたものであり、標準サイズの制約を受けずに定められた書類やファイル用綴具が存在し、多くのサイズが存在する。
【０００４】
さらに、収納品を書類に限定せずに、例えば一般の物、例えば収納ケースまで含めると、Ａ判やＢ判等に規制されないため様々なサイズの収納ケースが存在する。
【０００５】
【発明が解決しようとする課題】
このため、書類やファイリング用具その他の物品を棚等に収納する際、何らの配慮することなくランダムに収納すると図５に示されるとおり、棚内部の各物品の高さが統一されていないため外観上見苦しい状態となってしまう。
【０００６】
また、棚内部の各物品の高さの不統一は美観上の問題だけでなく、纏まった空間が確保できないために空間を有効活用できないという実質的な無駄も生じている。
【０００７】
さらに、空間の有効活用度が個々の物品の高さに依存するため、収納を計画的に進める際に今後の収納可能量の予測を立てることが困難となっている。
【０００８】
そこで、本発明の目的は、高さ等のサイズを統一して書類やファイリング用具を配列する際の美観を向上させると共に、収納空間を高密度に使用して空間を有効利用することのできる収納物品群を提供することにある。
【０００９】
【課題を解決するための手段】
前記の課題を解決するため、本発明に係る収納物品群は、書類等の綴込み用ファイルとバインダーと書類ケースのファイリング用具のいずれか又はその組合せを複数収納できる箱型ファイルの高さは、複数の物品収納箱を重ねた高さと同じ高さに設定される。
【００１０】
また、複数の物品収納箱を重ねた高さと、書類等の綴込み用ファイルとバインダーと書類ケースのファイリング用具の高さと、ファイリング用具を複数収納できる箱型ファイルの高さと、をそれぞれ同じ高さに設定される。
【００１１】
さらに、ファイリング用具を複数収納できる箱型ファイルの高さは、物品収納箱および書類等の綴込み用ファイルとバインダーと書類ケースのファイリング用具の高さの公倍数であることを特徴とする。
【００１２】
【作用】
以上のように、ファイリング用具等の高さを統一することで、これらのファイリング用具を横並びに配列した場合、デザイン上、統一感があり外観が美麗となる。
【００１３】
また、隣同士のファイリング用具等の高さが統一されるため、配列時に一部のファイリング用具等の上に不要な空間が生じて無駄となる惧れがない。
【００１４】
さらに、単純化した形状であるため収納時に工夫を凝らす必要が無く、整理整頓も容易となる。しかも、空間の確保は予め定まった体積を使用するために、収納時の計画や予測が立てやすい。
【００１５】
【実施例１】
次に、本発明に係る収納物品群の実施例につき、添付図面を参照しながら以下詳細に説明する。
【００１６】
図１には、本発明の第１の実施例である収納物品群が棚１の内部に並列して陳列された平面図を示す。これらは、３種類の収納物品群から構成されている。この３種類は、ファイルボックス２と、はがき・写真収納ケース４と、ファイリング用具６である。本棚１の上段は、２つファイルボックス２に隣接して２段積層されたはがき・写真収納ケース４が配置され、内部に小型ファイリング用具７を収納したファイルボックス２が更に隣接して配置される。すなわち、ファイルボックス２と、２段積層したはがき・写真収納ケース４と、ファイリング用具６の高さが一致するため、本棚１の上段は、高さが一致した美しい配列を形成することができる。更に、本棚１の上段の上部空間を除けば有効に空間が使用されている。
【００１７】
本棚１の中段は、複数のファイリング用具６と一組のはがき・写真収納ケース４とが並んで配列されており、やはり本棚１の中段も、高さが一致した美しい配列を形成することができる。
【００１８】
本棚１の下段は、２組のはがき・写真収納ケース４と、複数の小型ファイリング用具７を収納したファイルボックス２と、単独の複数のファイリング用具６とから構成され、やはり本棚１の下段も、高さが一致した美しい配列を形成することができる。
【００１９】
次にこれらのファイルボックス２と、はがき・写真収納ケース４と、ファイリング用具６の詳細を図２（ａ）〜（ｃ）に示す。（ａ）はファイルボックス２であり、高さ８が２５０ｍｍであり内部に小型ファイリング用具７が収納される。
【００２０】
また（ｂ）は、はがき・写真収納ケース４であり、その高さ１０が１２５ｍｍであり、積層した高さ１２は２５０ｍｍであり、２５０は、１２５の公倍数である。
【００２１】
さらに、（ｃ）は、ファイリング用具６とから構成され、その高さ１４は２５０ｍｍである。よって、各用具のサイズの公倍数が２５０ｍｍであるため、統一した高さの配置を構成することができる。
【００２２】
以上の構成において、本実施例の作用について説明する。すなわち、ファイルボックス２とファイリング用具６とを並んで配列させる場合は、同じ高さであるため並列させるだけで高さの統一を図ることができる。
【００２３】
また、はがき・写真収納ケース４は、ファイルボックス２の高さの２分の１とすることで、２段重ねた際にファイルボックス２と同一の高さとなる。
【００２４】
さらに、ファイルボックス２に小型ファイリング用具７が収納されてその内部が有効利用され、はがき・写真収納ケース４の内部にはがきまたは写真が収納されて空間が有効利用される。
【００２５】
【実施例２】
図３に、本発明の第２の実施例である収納物品群１６が並列して陳列された平面図を示す。
【００２６】
これらは、４種類の収納物品群から構成されている。この４種類は、引出型収納ケース１８と、ファイリング用具２０と、ボックス型収納ケース２２と、ボックス型収納ケース２４である。２段で１組の引出型収納ケース１８が３段積層したものと、ファイリング用具２０と、ボックス型収納ケース２２を４段積層したものと、ボックス型収納ケース２４を２段積層したものが、同一の高さを保持して並置されている。これらは、いずれも高さが一致するため、美しい配列を形成することができる。更に、その上部空間を除けば有効に空間が使用されている。
【００２７】
次にこれらの引出型収納ケース１８と、ファイリング用具２０と、ボックス型収納ケース２２と、ボックス型収納ケース２４の詳細を図４（ａ）〜（ｄ）に示す。（ａ）は、引出型収納ケース１８であり、高さ１９が１１２ｍｍであって、３段積層されて高さ２６が３３６ｍｍとなる。すなわち、３３６は、１１２の公倍数である。（ｂ）は、ファイリング用具２０であり、高さ３２が３３６ｍｍである。（ｃ）は、ボックス型収納ケース２２であり、高さ２３が８４ｍｍであって、４段積層されて高さ２８が３３６ｍｍとなる。すなわち、３３６は、８４の公倍数である。（ｄ）は、ボックス型収納ケース２４であり、高さ２５が１６８ｍｍであって、２段の積層で高さ３０が３３６ｍｍとなる。すなわち、３３６は、１６８の公倍数である。よって、各用具のサイズの公倍数が３３６ｍｍであるため、統一した高さの配置を構成することができる。
【００２８】
以上の構成において、本実施例の作用について説明する。すなわち、引出型収納ケース１８と、ファイリング用具２０とを並んで配列させる場合は、引出型収納ケース１８を３段積層すると同じ高さであるため並列させるだけで高さの統一を図ることができる。
【００２９】
また、ボックス型収納ケース２２は、ファイリング用具２０の高さの４分の１とすることで、４段重ねた際にファイリング用具２０と同一の高さとなる。
【００３０】
さらに、ボックス型収納ケース２４は、ファイリング用具２０の高さの２分の１とすることで、２段重ねた際にファイリング用具２０と同一の高さとなる。
【００３１】
最適な実施例について説明したが、本発明はこれに限定されることなく、本発明の精神を逸脱することなく種々の設計変更をなし得ることは勿論である。例えば、今回の実施例では、２段，３段，４段に積層することで複数の組合せが構成されるが、その他の段数を組合せて積層することも設計変更である。また、最終的に高さが同じとなる組合せであれば、異なる高さの収納ケースを積層しても良い。
【００３２】
【発明の効果】
本発明による収納物品群を用いることで、高さ等のサイズを統一して書類やファイリング用具を配列する際の美観を向上させると共に、収納空間を高密度に使用して空間を有効利用することが可能となる。
【図面の簡単な説明】
【図１】本発明に係る第１実施例の収納物品群の棚に配置された平面図である。
【図２】本発明に係る第１実施例の収納物品群の各構成要素の斜面図である。
【図３】本発明に係る第２実施例の収納物品群の棚に配置された平面図である。
【図４】本発明に係る第２実施例の収納物品群の各構成要素の斜面図である。
【図５】従来の構成物品が配置された収納物品群の正面図である。
【符号の説明】
１  棚
２  ファイルボックス
４  はがき・写真収納ケース
６  ファイリング用具
７  小型ファイリング用具
８，１０，１２，１４，１９，２６，３２，２３，２８，２５，３０  高さ
１６  収納物品群
１８  引出型収納ケース
２０  ファイリング用具
２２  ボックス型収納ケース
２４  ボックス型収納ケース
【図１】
2004237581.tif 000003
【図２】
2004237581.tif 000004
【図３】
2004237581.tif 000005
【図４】
2004237581.tif 000006
【図５】
2004237581.tif 000007